(57)【要約】【課題】替刃式カッターナイフにおいて、刃体の一部分を折る場合、刃体の刃折具をホルダー部からその都度、取り外すことが不便であり、また紛失したり、置き忘れて踏みつけ破損したりすることがあるが、替刃式カッターナイフの刃体から使用済み部分を取り除くために、刃折具を、ホルダー部に取り付けたままの状態で、刃折り作業が出来る替刃式カッターナイフを提供する。【解決手段】カッターナイフ１の刃体４の使用済み部分を取り除くために、刃体４の刃体突出部２ｃからの突出状態から刃体４の先端を刃折具８内に退出させて、折ろうとする切断線４ａを挿入間隙８ｂに位置する切断端縁８ｄに合わせ刃折具レバー８ａを外側に開き折り、ホルダー部２に蝶番５で保持された刃折具８を切欠け部７に格納することができる。【選択図】          図３
2005000574.tif 000002
【特許請求の範囲】
【請求項１】
折れ溝を有する刃体を、スライド溝に進退可能に収納するホルダー部を有する替刃式カッターナイフにおいて、該ホルダー部は、先端部に近い位置で前記ホルダー部底面より前記ホルダー部上面に向けて前記スライド溝を包含し、刃体の切断線に平行で立体型に形成した切欠け部と、該切欠け部の刃体退出路に形成したスリットと、前記切欠け部の前記刃体退出路側に取り付けた蝶番と、該蝶番で保持され前記ホルダー部の外側方向へ開閉自在に取り付けられた刃折具と、を備え、該刃折具は、前記切欠け部に格納され、前記刃体の前記刃折具内を進退可能な挿入間隙と、前記刃体を折る切断端縁と、前記刃折具に設けた開閉レバーと、を備えたことを特徴とする替刃式カッターナイフ。
【請求項２】
前記刃折具の前記刃体の進退可能な挿入間隙より外側面に向け刃体の切断片の排出用切欠け部を設けたことを特徴とする請求項１に記載の替刃式カッターナイフの刃折具。
【請求項３】
前記刃折具内に折った刃体の切断片を保持する中空部と、排出蓋と、を備えたことを特徴とする請求項１に記載の替刃式カッターナイフの刃折具。
【発明の詳細な説明】
【０００１】
【発明の属する技術分野】
この発明は、替刃式カッターナイフの刃体から使用済み部分を取り除くために、刃体の一部分を折る場合に使用する刃折具を、ホルダー部から取り外すことなくホルダー部に取り付けたままの状態で、刃折り作業を行う事が出来る替刃式カッターナイフのホルダー。このホルダーを備えた替刃式カッターナイフに関するものである。
【０００２】
【従来の技術】
従来、実開昭５８−１１２２８０号公報に示す替刃式カッターナイフにおいては、刃体の刃折具に該当するグリップ本体が、ホルダー部の尻部に取り付けられている。ホルダー部の尻部よりグリップ本体を取り外して、グリップ本体の刃体挿入溝に刃体を挿入して、刃体を折る。刃折り作業のたびに、刃折具に該当するグリップ本体をホルダー部からその都度、取り外すことが不便であり、また紛失したり、置き忘れて踏みつけ破損したりすることがあるが、この様な欠点が解決されていないのが現状である。
【０００３】
【発明が解決しようとする課題】
しかしながら、前述の如く、刃体を折る場合はホルダー部より、その都度、刃体の刃折具を取り外して、刃折り作業をするため、刃折具を置き忘れしたり、紛失したり、踏みつけて破損することが、しばしば生じ不便であった。本発明は、斯かる実情に鑑み、ホルダー部に刃折具を、取り付けたままの状態で、ホルダー部から刃折具を取り外すことなく刃折り作業を行うことが出来る替刃式カッターナイフを提供しようとするものである。
【０００４】
【課題を解決するための手段】
このような課題を解決するための本発明の替刃式カッターナイフは、折れ溝を有する刃体を、スライド溝に進退可能に収納するホルダー部を有する替刃式カッターナイフにおいて、該ホルダー部は、先端部に近い位置で前記ホルダー部底面より前記ホルダー部上面に向けて前記スライド溝を包含し、刃体の切断線に平行で立体型に形成した切欠け部と、該切欠け部の刃体退出路に形成したスリットと、前記切欠け部の前記刃体退出路側に取り付けた蝶番と、該蝶番で保持され前記ホルダー部の外側方向へ開閉自在に取り付けられた刃折具と、を備え、該刃折具は、前記切欠け部に格納され、前記刃体の前記刃折具内を進退可能な挿入間隙と、前記刃体を折る切断端縁と、前記刃折具に設けた開閉レバーと、を備えたことを特徴とする替刃式カッターナイフ。
【０００５】
更に、本発明の替刃式カッターナイフの刃折具は、刃折具の前記刃体の進退可能な挿入間隙より外側面に向け刃体の切断片の排出用切欠け部を備えたことを特徴とする。
【０００６】
また替刃式カッターナイフの刃折具は、その刃折具内に折った刃体の切断片を保持する中空部と、排出蓋と、を備えたことを特徴とする。
【０００７】
【発明の実施の形態】
以下、本発明の一実施形態を図示例と共に説明する。図２〜図８は本発明の一実施形態を説明するためのものある。図１は従来技術に係る正面から見た全体の構成を示す斜視図である。図２は正面から見た全体の構成を示す斜視図で、図３は正面から見た刃折具で刃折り作業を行った状態を示す斜視図である。図４はホルダー部の裏面から見た全体の構成を示す斜視図、図５は刃折具で刃折り作業を行い、切断片を刃折具より排出する状態の、ホルダー部の裏面から見た全体の構成を示す斜視図で、図６（Ａ）〜図６（Ｅ）は刃折具で刃折り作業を行う過程を示す側面から見た部分断面図である。図７（Ａ）、図７（Ｂ）は刃折具の外側面に刃体の切断片の排出用切欠け部を設けた、ホルダー部の裏面から見た全体の構成を示す斜視図である。図８（Ａ）、図８（Ｂ）は刃折具内に折った刃体の切断片を保持する中空部と排出蓋とを設けた、ホルダー部の裏面から見た全体の構成を示す斜視図である。図中、図と同一の符号を付した部分は同一物を表わしておる。
【０００８】
図２により上述した一実施形態の構造の概略を説明する。このカッタ−ナイフ１は大別してホルダー部２と、そのホルダー部２の、蝶番５で保持され且つ、切欠け部７に格納された刃折具８とスライダ−３と刃体４とを備えている。ホルダー部２にはスライド溝６が頭部２ａからその反対側の尻部２ｂにわたり長手方向に沿って形成されている。このスライド溝６の両縁部のうち一方の縁部には係止凹凸部９が長手方向へ併設されている。このスライド溝６は、ホルダー部２の頭部２ａにおいて刃体突出口部２ｃで開放されているとともに、ホルダー部２の尻部２ｂにおいて開口部２ｄで開放されている。刃体４は、スライド溝６及び、切欠け部７に格納された刃折具８の挿入間隙８ｂ、８ｃを通じて進退する。
【０００９】
図３及び図５はカッターナイフ１の刃体４の使用済み部分を取り除くために、刃体の一部分を切断線４ａで折る場合に使用する刃折具８の使用方法の説明図である。刃を折るには図２及び図４に示すように刃体４が、刃体突出部２ｃからの突出状態から刃体４の先端を刃折具８内に退出させて、折ろうとする切断線４ａを挿入間隙８ｂに位置する切断端縁８ｄに合わせ刃折具レバー８ａを外側に開き、折ることが出来る。従って刃折具長βは、刃体４における切断線４ａと連続する次の切断線４ａ間の一片分の幅αを上回る長さが望ましい。刃折具長βが幅αを下回るときには刃折り作業に支障をきたすのでホルダー部２の刃折具８部位の先端に切欠きを施せば可能である。ホルダー部２の切欠け部７で刃体４の進退路には、刃体進出路１０と刃体退出路１１のスリットが形成されていて、刃体退出路１１のスリットは刃折具８で刃折り作業を行なう時の一方の把持端となる。折れた刃体４の切断片４ｂは刃折具８の挿入間隙８ｃ内に存在するので図５に示すように刃折具８の挿入間隙８ｃを下に向ければ容易に排出させることが出来る。
【００１０】
図４によりカッターナイフ１の刃体４を刃体突出口部２ｃより突出させた状態の概要を裏面より説明する。ホルダー部２に蝶番５で保持された刃折具８を切欠け部７に格納し刃体４を刃折具８の挿入間隙８ｂ、８ｃを通じて進出させる。
【００１１】
ホルダー部２に取り付けられた蝶番５はホルダー部２が合成樹脂で作成されたものであれば刃折具８も包含して連続一体に合成樹脂で成形されるのがよいが、金属でホルダー部２が作成されるものであれば、金属や樹脂で作成した蝶番５が取り付けられるのが望ましいが、ホルダー部２の材質により特定するものではない。
【００１２】
図６（Ａ）〜図６（Ｅ）によりカッターナイフ１の使用状態から刃体４の使用済み部分を取り除き再び使用状態まで戻るまでの説明をする。図６（Ａ）はカッターナイフ１の使用状態で刃体４はスライド溝６及び刃折具８内を貫通している挿入間隙８ｂから挿入間隙８ｃ間を通り刃体突出口２ｃより刃先を進出させ、図６（Ｂ）により刃体突出部２ｃからの突出状態から刃体４の先端を刃折具８内に退出させて、折ろうとする切断線４ａを切断端縁８ｄに合わせ、図６（Ｃ）に示すように、刃折具レバー８ａを外側に開き、折ることが出来る。図６（Ｄ）に示すように、折れた切断片４ｂは刃折具８の挿入間隙８ｃ内に存在するので刃折具８の挿入間隙８ｃを下に向ければ容易に排出させることが出来る。図６（Ｅ）に示すように、ホルダー部２に蝶番５で保持された刃折具８を切欠け部７に格納し、刃体４を刃折具８の挿入間隙８ｂ、８ｃを通じて刃体突出口２ｃより進出させる。
【００１３】
図７は図１〜図６の実施例と刃折具８における別の構造の実施例である。図７（Ａ）はカッターナイフの使用状態の図で、刃折具８の挿入間隙８ｅより刃体４が排出用切欠け部８ｇより一部露出しているが、排出用切欠け部８ｇは、刃体４を折った際に刃体４の切断片４ｂを排出するのに使用される。排出用切欠け部８ｇは刃折具８の切断端縁８ｄより挿入間隙８ｅまでと、前記刃体４の進退路より底部とを除き前記刃体の進退可能な挿入間隙より外側面に向けて形成される。また排出用切欠け部８ｇは刃折具８の前記刃体４の進退路より底部のみを除き外側面に向けて形成されることも可能である。図７（Ｂ）では、刃体突出部２ｃからの突出状態から刃体４の先端を刃折具８内に退出させて、折ろうとする切断線４ａを切断端縁８ｄに合わせ刃折具レバー８ａを外側に開き、折ることが出来る。従って刃折具長βは、刃体４における切断線４ａと連続する次の切断線４ａ間の一片分の幅αを上回る長さが望ましい。刃折具長βが幅αを下回るときには刃折り作業に支障をきたすのでホルダー部２の刃折具８部位の先端に切欠きを施せば可能である。
【００１４】
図８は図１〜図７の実施例と刃折具８における別の構造の実施例である。図８（Ａ）、図８（Ｂ）では刃折具８の内部に中空部８ｆが形成され、刃折り後の切断片４ｂを保持する空間となっている。切断片４ｂが溜まれば蓋８ｈを取外して外部に排出される。図８（Ｂ）で刃折具８の断面を示す。
【００１５】
本発明は図示した実施形態のみに限定されるものではなく、本発明の要旨を逸脱しない範囲内において種々変更を加え得ることは勿論である。
【００１６】
【発明の効果】
以上、説明したように本発明によれば、刃体を折るに際して、従来の替刃式カッターナイフのように、ホルダー部より刃折具を一旦、取り外して刃折り作業を行い再びホルダー部に戻すという、面倒な作業や、その間で刃折具を紛失したり、何処かに置き忘れたり、踏みつけて破損することが無く、ホルダー部に蝶番で取り付けられたままの状態で、刃折具の開閉で刃折り作業を終えて、刃折具の収納も終えるという優れた効果を奏し得る。
【００１７】
【図面の簡単な説明】
【図１】替刃式カッターナイフの従来技術に係る正面から見た全体の構成を示す斜視図である。
【図２】本発明の一実施形態にかかる替刃式カッターナイフの正面から見た全体の構成を示す斜視図。
【図３】本発明の一実施形態にかかる替刃式カッターナイフの正面から見た刃折具で刃折り作業を行った状態の全体の構成を示す斜視図である。
【図４】本発明の一実施形態にかかる替刃式カッターナイフの裏面から見た全体の構成を示す斜視図。
【図５】本発明の一実施形態にかかる替刃式カッターナイフの刃折具で刃折り作業を行い、切断片を刃折具より排出する状態の、裏面から見た全体の構成を示す斜視図。
【図６】（Ａ）〜（Ｅ）は本発明の一実施形態にかかる替刃式カッターナイフの刃折具で刃折り作業を行う過程を示す側面から見た部分断面図。（Ａ）はカッターナイフの使用状態の図であり、（Ｂ）は刃体の先端を刃折具内に退出させて、切断線を切断端縁に合わせた図で、（Ｃ）は刃折具レバーを外側に開き、刃体を折る図で、（Ｄ）は折れた切断片を刃折具の挿入間隙より排出させた図である。（Ｅ）はホルダー部に蝶番で保持された刃折具を切欠け部に格納し、刃体を刃折具の挿入間隙を通じて刃体突出口より進出させた図である。
【図７】（Ａ）（Ｂ）は刃折具の他の実施例を示す裏面から見た全体の構成を示す斜視図。
【図８】（Ａ）（Ｂ）は刃折具のさらに他の実施例を示す裏面から見た全体の構成を示す斜視図。
【符号の説明】
１    カッターナイフ
２    ホルダー部
２ａ  頭部
２ｂ  尻部
２ｃ  刃体突出口
２ｄ  開口部
３    スライダー
４    刃体
４ａ  切断線
４ｂ  切断片
５    蝶番
６    スライド溝
７    切欠け部
８    刃折具
８ａ  刃折具レバー
８ｂ  挿入間隙
８ｃ  挿入間隙
８ｄ  切断端縁
８ｅ  挿入間隙
８ｆ  中空部
８ｇ  排出用切欠け部
８ｈ  蓋
９    係止凹凸部
１０  刃体進出路
１１  刃体退出路
α    幅
β    刃折具長
【図１】
2005000574.tif 000003
【図２】
2005000574.tif 000004
【図３】
2005000574.tif 000005
【図４】
2005000574.tif 000006
【図５】
2005000574.tif 000007
【図６】
2005000574.tif 000008
【図７】
2005000574.tif 000009
【図８】
2005000574.tif 000010